(57)【特許請求の範囲】
【請求項１】
ＡＴＭに装着されるスキミング装置を発見するための金融機関のコンピュータシステムによるスキミング防止システムであって、
前記コンピュータシステムのＡＴＭ制御部は、
利用者の取引開始要求を前記ＡＴＭから受信するＡＴＭ要求受信部と、
管理するすべてのＡＴＭの管理情報を格納するＡＴＭ管理情報ＤＢと、
前記ＡＴＭの機種毎に、カード挿入口の画像を含む前記ＡＴＭの部分画像を格納するＡＴＭ部分画像ＤＢと、
前記取引開始要求を受信した際に、前記ＡＴＭ管理情報ＤＢを参照して当該ＡＴＭを特定し、前記利用者に当該ＡＴＭに異常がないかの確認を求める確認画面を生成し、前記ＡＴＭ部分画像ＤＢから当該ＡＴＭの一以上の部分画像を抽出して前記抽出した部分画像を前記確認画面に含ませて当該ＡＴＭに送信する確認画面生成部と、
前記確認画面の応答として受信した前記利用者の判定に応じて、当該取引開始要求の処理の続行又は中止を決定する利用者判定結果処理部と、
を備えることを特徴とするスキミング防止システム。
【請求項２】
前記ＡＴＭ制御部は、スキミング装置画像抽出部を更に備え、
前記スキミング装置画像抽出部は、過去に発見されたスキミング装置の画像を格納するスキミング装置画像ＤＢから、当該ＡＴＭに装着可能なスキミング装置の画像を抽出し、前記確認画面に含ませることを特徴とする請求項１に記載のスキミング防止システム。
【請求項３】
前記ＡＴＭ制御部は、他の金融機関のコンピュータシステムのネットワークに接続するＡＴＭ運営センターに対して、前記利用者の判定結果の情報を通知するＡＴＭ運営センター通知部を更に備えることを特徴とする請求項１乃至２のいずれかに記載のスキミング防止システム。
【請求項４】
前記スキミング装置画像ＤＢは、ＡＴＭ本体の周辺に設置されたスキミング装置の画像を含むことを特徴とする請求項２乃至３のいずれかに記載のスキミング防止システム。
【請求項５】
前記スキミング装置画像ＤＢは、ＡＴＭ本体の入力操作部に設置されたスキミング装置の画像を含むことを特徴とする請求項２乃至４のいずれかに記載のスキミング防止システム。
【請求項６】
前記ＡＴＭは、前記利用者がカード挿入後に当該ＡＴＭの異常に気づいた場合にも、異常通知を前記ＡＴＭ制御部に送信する手段を備えることを特徴とする請求項１乃至５のいずれかに記載のスキミング防止システム。
【請求項７】
ＡＴＭに装着されるスキミング装置を発見するための金融機関のコンピュータシステムによるスキミング防止方法であって、
前記コンピュータシステムが、
管理するすべてのＡＴＭの管理情報を格納するＡＴＭ管理情報ＤＢと、
前記ＡＴＭの機種毎に、カード挿入口の画像を含む前記ＡＴＭの部分画像を格納するＡＴＭ部分画像ＤＢとを備え、
利用者の取引開始要求を前記ＡＴＭから受信するステップと、
前記取引開始要求を受信した際に、前記ＡＴＭ管理情報ＤＢを参照して当該ＡＴＭを特定し、前記利用者に当該ＡＴＭに異常がないかの確認を求める確認画面を生成するステップと、
前記ＡＴＭ部分画像ＤＢから当該ＡＴＭの一以上の部分画像を抽出して前記抽出した部分画像を前記確認画面に含ませて当該ＡＴＭに送信するステップと、
前記確認画面の応答として受信した前記利用者の判定に応じて、当該取引開始要求の処理の続行又は中止を決定するステップと、
を実行することを特徴とするスキミング防止方法。
【請求項８】
ＡＴＭに装着されるスキミング装置を発見するためのコンピュータプログラムであって、
管理するすべてのＡＴＭの管理情報を格納するＡＴＭ管理情報ＤＢと、
前記ＡＴＭの機種毎に、カード挿入口の画像を含む前記ＡＴＭの部分画像を格納するＡＴＭ部分画像ＤＢとをコンピュータに備え、
前記コンピュータに、
利用者の取引開始要求を前記ＡＴＭから受信するステップと、
前記取引開始要求を受信した際に、前記ＡＴＭ管理情報ＤＢを参照して当該ＡＴＭを特定し、前記利用者に当該ＡＴＭに異常がないかの確認を求める確認画面を生成するステップと、
前記ＡＴＭ部分画像ＤＢから当該ＡＴＭの一以上の部分画像を抽出して前記抽出した部分画像を前記確認画面に含ませて当該ＡＴＭに送信するステップと、
前記確認画面の応答として受信した前記利用者の判定に応じて、当該取引開始要求の処理の続行又は中止を決定するステップと、
を実行させることを特徴とするコンピュータプログラム。
【発明の詳細な説明】
【技術分野】
【０００１】
本発明は、ＡＴＭのスキミング防止システム及びその方法に関する。特に、金融機関その他店舗等に設置されたＡＴＭに装着されるスキミング装置を発見するためのスキミング防止システムおよびその方法に関する。
【背景技術】
【０００２】
近年、金融機関が顧客に対して発行するキャッシュカードやクレジットカード等のカードの偽造やカード情報を不正に読み取るスキミングによる被害が問題となっている。特に、電子機器の小型化によってスキミング装置の巧妙化が進み、特に金融機関の店舗やコンビニエンスストア、駅や空港等のブースにおいて、ＡＴＭ（Automated  Teller  Machine：現金自動預け払い装置または自動取引装置）を顧客が利用する際に、カードの情報がＡＴＭ本体やＡＴＭ周辺に装着されたスキミング装置によって読み取られ、不正に利用されるケースが増加している。
【０００３】
カードのスキミングは、ＡＴＭのカード挿入口に似せて作られた疑似カード挿入口をＡＴＭに取り付け、利用者が知らずにカードをこの疑似カード挿入口に挿入すると、疑似カード挿入口に内蔵されたスキミング装置がカード情報を搾取することによって行われる。また、ＡＴＭから暗証番号を入力する際に、ＡＴＭ周囲に設置された隠しカメラによって入力画面を盗撮する手口、または、ＡＴＭの入力装置のテンキーの上に、押したボタンのデータ抜き取り用の透明シートを被せ、暗証番号を盗み取る手口が併用されることもある。
【０００４】
そのため、スキミング対策を施したＡＴＭがいくつか提案されている。例えば、特許文献１には、ＡＴＭのカード挿入口に発光フリッカ部を設け、ランダムに選択された発光パターン（発光色、発光周期）で発光フリッカ部を発光させ、かつそのフリッカ画像をＡＴＭの表示画面にも表示させる「取引処理装置」が記載されている。発光パターンが一致しない場合はスキミング装置が装着されていると判断させる。このようにすることで、スキミング装置を利用者が容易に発見できることを目的とする。
【０００５】
また、特許文献２には、監視の対象となるＡＴＭの前面パネルを一方の側から赤外線パターン照射装置により赤外線パターンを照射し、当該前面パネルをもう一方の側から赤外線カメラにより撮影して画像を取得し、この画像と基本画像（不審物が設置されていない状態で事前に撮影しておいた画像）との差分を測定することで不審物を検知する「不審物又は形状変化検知システム」が記載されている。
【先行技術文献】
【特許文献】
【０００６】
【特許文献１】特開２００７−２７９８７７号公報
【特許文献２】特開２００８−２７２５９号公報
【発明の概要】
【発明が解決しようとする課題】
【０００７】
上記特許文献１，２に記載の装置やシステムは、スキミング装置の設置によるＡＴＭの外観の形状変化を利用者に発見させるか、或いはシステムが自動的に検出することを目的としている。しかしながら、特許文献１の装置では、カード挿入口の発光フリッカ部を透過するような疑似カード挿入口を作成されると回避が可能となる。また、特許文献２のシステムは、ＡＴＭ上に突起物があると操作性を悪くする上、破損や盗難の恐れもあり、それを避けるためには赤外線カメラや赤外線照射装置の位置や形状をＡＴＭ毎に最適に設計する必要があり、必ずしも容易なことではない。また、いずれの方法もＡＴＭ自体のハードウェアの変更を必要とし、様々な場所に設置されたすべてのＡＴＭに対して直ちに実施できるものではない。
【０００８】
したがって、本発明では、上記のような課題に鑑み、様々な手口のスキミング装置のＡＴＭへの装着を早期に発見することができ、かつ、ＡＴＭ自体のハードウェアを変更することなしに、ＡＴＭを制御するホストコンピュータ等の金融機関等のシステム側のソフトウェアによって実現可能なスキミング防止システム、及びスキミング防止方法を提供することを目的とする。
【課題を解決するための手段】
【０００９】
上記課題を解決するため、本発明のスキミング防止システムは、以下のような解決手段を提供する。
【００１０】
請求項１に記載の発明は、ＡＴＭに装着されるスキミング装置を発見するための金融機関のコンピュータシステムによるスキミング防止システムであって、前記コンピュータシステムのＡＴＭ制御部は、利用者の取引開始要求を前記ＡＴＭから受信するＡＴＭ要求受信部と、管理するすべてのＡＴＭの管理情報を格納するＡＴＭ管理情報ＤＢと、前記ＡＴＭの機種毎に、カード挿入口の画像を含む前記ＡＴＭの部分画像を格納するＡＴＭ部分画像ＤＢと、前記取引開始要求を受信した際に、前記ＡＴＭ管理情報ＤＢを参照して当該ＡＴＭを特定し、前記利用者に当該ＡＴＭに異常がないかの確認を求める確認画面を生成し、前記ＡＴＭ部分画像ＤＢから当該ＡＴＭの一以上の部分画像を抽出して前記抽出した部分画像を前記確認画面に含ませて当該ＡＴＭに送信する確認画面生成部と、前記確認画面の応答として受信した前記利用者の判定に応じて、当該取引開始要求の処理の続行又は中止を決定する利用者判定結果処理部と、を備えることを特徴とする。
【００１１】
上記の構成によれば、利用者がＡＴＭによって取引開始の際に、ＡＴＭのカード挿入口の正常時の画像を含んだ確認画面をＡＴＭに表示し、ＡＴＭの利用者に現在のＡＴＭのカード挿入口等の機構部の外観に異常がないかの確認を求めることによって、早期にスキミング装置を発見することができる。また、このような確認画面を表示する等、注意喚起を広めることで、スキミング犯に対する抑止効果が期待される。
【００１２】
請求項２に記載の発明は、請求項１に記載のシステムにおいて、前記ＡＴＭ制御部は、スキミング装置画像抽出部を更に備え、前記スキミング装置画像抽出部は、過去に発見されたスキミング装置の画像を格納するスキミング装置画像ＤＢから、当該ＡＴＭに装着可能なスキミング装置の画像を抽出し、前記確認画面に含ませることを特徴とする。
【００１３】
上記の構成によれば、過去に実際に使用された（未遂を含む）スキミング装置が装着された画像をデータベースに集積し、その画像を確認画面に含ませ利用者に対比させることができるので、スキミング装置の早期発見に更に役立つ。
【００１４】
請求項３に記載の発明は、請求項１〜２のいずれかに記載のシステムにおいて、前記ＡＴＭ制御部は、他の金融機関のコンピュータシステムのネットワークに接続するＡＴＭ運営センターに対して、前記利用者の判定結果の情報を通知するＡＴＭ運営センター通知部を更に備えることを特徴とする。
【００１５】
上記の構成によれば、ＡＴＭが異常と判定された場合は、単独の金融機関だけでなく、各金融機関をネットワークで繋ぐＡＴＭ運営センターにも自動的に通知し、直ちに情報を共有することができるので、スキミング装置の早期発見に更に役立つ。
【００１６】
請求項４に記載の発明は、請求項２〜３のいずれかに記載のシステムにおいて、前記スキミング装置画像ＤＢは、ＡＴＭ本体の周辺に設置されたスキミング装置の画像を含むことを特徴とする。
【００１７】
上記の構成によれば、ＡＴＭ本体でなく、ＡＴＭ周辺の器具に隠しカメラ（スキミング装置の一種とみなす）が仕掛けられていないかの注意喚起を追加することにより、ＡＴＭ本体以外のスキミング装置の早期発見にも役立つ。
【００１８】
請求項５に記載の発明は、請求項２〜４のいずれかに記載のシステムにおいて、前記スキミング装置画像ＤＢは、ＡＴＭ本体の入力操作部に設置されたスキミング装置の画像を含むことを特徴とする。
【００１９】
上記の構成によれば、ＡＴＭのタッチパネル等の入力操作部にも異常がないかの確認を求めることができるので、ＡＴＭのカード挿入口以外のスキミング装置の早期発見に役立つ。
【００２０】
請求項６に記載の発明は、請求項１〜５のいずれかに記載のシステムにおいて、前記ＡＴＭは、前記利用者がカード挿入後に当該ＡＴＭの異常に気づいた場合にも、異常通知を前記ＡＴＭ制御部に送信する手段を備えることを特徴とする。
【００２１】
上記の構成によれば、利用者が、取引開始の際に表示された確認画面では気づかなかったが、カードを読み込ませた後にはじめて異常に気づいた場合であっても、ＡＴＭから異常を通知する手段を常に有するので、たとえスキミング装置にカード情報を読み取られた後でも、そのカードを直ちに利用不可にするなどの対策をとることができる。
【００２２】
請求項７に記載の発明は、ＡＴＭに装着されるスキミング装置を発見するための金融機関のコンピュータシステムによるスキミング防止方法であって、前記コンピュータシステムが、管理するすべてのＡＴＭの管理情報を格納するＡＴＭ管理情報ＤＢと、前記ＡＴＭの機種毎に、カード挿入口の画像を含む前記ＡＴＭの部分画像を格納するＡＴＭ部分画像ＤＢとを備え、利用者の取引開始要求を前記ＡＴＭから受信するステップと、前記取引開始要求を受信した際に、前記ＡＴＭ管理情報ＤＢを参照して当該ＡＴＭを特定し、前記利用者に当該ＡＴＭに異常がないかの確認を求める確認画面を生成するステップと、前記ＡＴＭ部分画像ＤＢから当該ＡＴＭの一以上の部分画像を抽出して前記抽出した部分画像を前記確認画面に含ませて当該ＡＴＭに送信するステップと、前記確認画面の応答として受信した前記利用者の判定に応じて、当該取引開始要求の処理の続行又は中止を決定するステップと、を実行することを特徴とする。
【００２３】
上記請求項７の発明は、請求項１のスキミング防止システムをコンピュータシステムが行うスキミング防止方法の発明と捉えたものであり、請求項１の発明と同様な作用効果を奏する。
【００２４】
請求項８の発明は、ＡＴＭに装着されるスキミング装置を発見するためのコンピュータプログラムであって、管理するすべてのＡＴＭの管理情報を格納するＡＴＭ管理情報ＤＢと、前記ＡＴＭの機種毎に、カード挿入口の画像を含む前記ＡＴＭの部分画像を格納するＡＴＭ部分画像ＤＢとをコンピュータに備え、前記コンピュータに、利用者の取引開始要求を前記ＡＴＭから受信するステップと、前記取引開始要求を受信した際に、前記ＡＴＭ管理情報ＤＢを参照して当該ＡＴＭを特定し、前記利用者に当該ＡＴＭに異常がないかの確認を求める確認画面を生成するステップと、前記ＡＴＭ部分画像ＤＢから当該ＡＴＭの一以上の部分画像を抽出して前記抽出した部分画像を前記確認画面に含ませて当該ＡＴＭに送信するステップと、前記確認画面の応答として受信した前記利用者の判定に応じて、当該取引開始要求の処理の続行又は中止を決定するステップと、を実行させることを特徴とするコンピュータプログラム。
【００２５】
上記請求項８の発明は、請求項１のスキミング防止システムをコンピュータプログラムの発明と捉えたものであり、請求項１の発明と同様な作用効果を奏する。
【発明の効果】
【００２６】
本発明によれば、様々な手口のスキミング装置のＡＴＭへの装着を早期に発見することができ、かつ、ＡＴＭ自体のハードウェアを変更なしに、ＡＴＭを制御するホストコンピュータ等の金融機関等のシステム側のソフトウェアによって実現可能なスキミング防止システム、スキミング防止方法を提供することができる。
【図面の簡単な説明】
【００２７】
【図１】本発明のスキミング防止システムの概念を示す図である。
【図２】本発明の一実施形態に係るスキミング防止システム１００の機能ブロックを示す図である。
【図３】ＡＴＭ情報テーブル、ＡＴＭ部分画像テーブルの構成の具体例を示す図である。
【図４】スキミング装置画像テーブルの構成の具体例を示す図である。
【図５】スキミング装置の装着例を示す図である。
【図６】ＡＴＭ制御フローの一例を示す図である。
【図７】ＡＴＭ制御フローの別の一例を示す図である。
【図８】確認画面の表示例を示す図である。
【図９】確認画面の表示例（続き）を示す図である。
【発明を実施するための形態】
【００２８】
以下、添付図面を参照して、本発明を実施するための形態（以下、実施形態）について詳細に説明する。なお、実施形態の説明の全体を通して同じ要素には同じ番号または符号を付している。
【００２９】
図１は、本発明のスキミング防止システムの概念を示す図である。図中の丸数字は以下で説明する処理の流れにおけるステップの番号を示している。
【００３０】
図示するように、ＡＴＭは、専用のネットワーク回線を介して、ホストコンピュータやサーバを中核とするカードを発行元である金融機関等のコンピュータシステム（以下単にホストコンピュータと呼ぶ）に接続されている。ホストコンピュータにはＡＴＭを管理、制御する機能部（ＡＴＭ制御部と呼ぶ）を備えており、ＡＴＭからの取引開始要求（入出金や残高確認等のカードの読み込みを必要とする取引開始要求）があると（ステップ１）、ＡＴＭ制御部は、当該ＡＴＭの識別子（ＩＤ）を元にしてその金融機関が管理するＡＴＭのすべての管理情報を格納したＡＴＭ管理情報ＤＢから、該当ＡＴＭの情報として、機種、設置場所（有人無人の情報を含む）、稼働時間帯（有人店舗の場合はその開店時間帯）を読み出す。そして、ＡＴＭからの要求が夜間や休日等一定の条件を満たす場合には、ＡＴＭ部分画像データベース（ＤＢ）から、当該ＡＴＭのカード挿入口等の一以上の画像を読み出し、抽出したカード挿入口等のＡＴＭ部分画像を取引開始要求元のＡＴＭに送信する（ステップ２）。
【００３１】
当該ＡＴＭは、受信したカード挿入口等の画像を含んだ確認画面を自らの画面に表示する。この確認画面には、利用者に対して、目の前のカード挿入口が画面に表示された画像と一致するか（正常）、否か（異常）を求めるメッセージおよび判定ボタンが表示される。この利用者の判定結果（確認結果）は直ちに金融機関のホストコンピュータのＡＴＭ制御部に送信され（ステップ３）、ＡＴＭ制御部は、その判定結果に応じて、依頼された取引の続行或いは停止を決定し、当該ＡＴＭに通知する（ステップ４）。
【００３２】
また、ホストコンピュータ（単にサーバとも呼ぶ）は、各金融機関のコンピュータシステムをネットワークで繋ぎ連携させるために設置されたＡＴＭ運営センターのシステムにも接続されており、利用者によって所定の回数以上「異常」と判断されたＡＴＭがあれば、当該ＡＴＭを使用不可として、ＡＴＭ運営センターにも通知する（ステップ５）。
【００３３】
このようにすることで、ＡＴＭでカードを使用した取引を開始する際には、利用者に少なくともカード挿入口が表示された画像と実物のカード挿入口が一致するかどうかを確認してもらい、不審物が装着されていないかを確認してもらうことで、知らないうちにスキミングの被害に遭うことを事前に防止することができる。スキミング装置は巧妙に制作されているが、外部からＡＴＭ本体に取り付けるためＡＴＭの外観に何らかの変化が生じる。しかし、利用者がその微細な変化に気が付くことは非常に困難であるので、正常な状態のカード挿入口の写真を事前に撮影しておき機種ごとにデータベースに格納し、取引開始前にその画像をＡＴＭの画面に表示することで実物との差異がないかを確認してもらうことができる。
【００３４】
金融機関では、ＡＴＭに異常がないかどうか係員が巡回や監視カメラでチェックしているが、常時細かくチェックすることは、特に夜間や休日等の場合、実際上はほぼ不可能である。また、金融機関以外の店舗、例えばコンビニエンスストア等では、ＡＴＭを特に注意してチェックすること自体、非常に困難である。
【００３５】
本発明のシステムによれば、非常に多数のＡＴＭ利用者にカード取引開始前には常にＡＴＭの状態（特にスキミング装置を装着される可能性のある部分の形状）をチェックしてもらうことができるので、特別な装置を導入することなく、スキミング被害を減少させることができる。また、後述するように、単に正常時の静止画像を表示するだけでなく、角度を変えた正常時の静止画像若しくは動画を表示したり、実際に被害に遭ったスキミング装置の装着例の画像を表示したり、また、それらを組み合わせたりすることで、更に異常を発見しやすくすることができる。また、新たな手口のスキミング装置にも速やかに対処することができる。
【００３６】
図２は、本発明の一実施形態に係るスキミング防止システム１００（以下、本システム）の機能ブロックを示す図である。機能ブロック（処理部とデータベース）間の矢印は、データの流れ方向、又は処理の流れ方向を表している。
【００３７】
本システムを構成するＡＴＭ１０は、一般的なＡＴＭの装置でよく、特別な仕組みは必要としない。すなわち、少なくとも操作メニューや操作状況を表示する表示画面１１、利用者の入力操作を受け付ける入力操作部１２、利用者に対する音声ガイダンスを発する音声出力部１３を備えていればよい。最近では、表示画面１１と入力操作部１２の機能を合わせ持つタッチパネルを採用したＡＴＭが主流である。また、ＡＴＭ１０には、当然のことながら、カードや現金を処理するための機構部１６を備えており、機構部１６は、少なくとも、カード読取部１６ａ、明細票印字部１６ｂ、紙幣処理部１６ｃで構成される。通帳印字部１６ｄ、硬貨処理部１６ｅ、生体認証部１６ｆを更に備えているものもある。また、ＡＴＭの内部的には、各機能部を制御する制御部１５と、各種データを一時的又は永続的に保存する記憶部１４を備えている。
【００３８】
本システムのホストコンピュータ２０は、典型的な処理部としては、ＡＴＭ要求受信部２１、ＡＴＭ要求応答部２２、確認画面生成部２３、スキミング装置画像抽出部２４、利用者判定結果処理部２５、及びＡＴＭ運営センター通信部２６で構成される。特にこれらＡＴＭの制御に関わる処理部をまとめてＡＴＭ制御部２０Ａと呼ぶことにする。なお、その他の本発明に直接関係のない処理部は省略している。
【００３９】
ＡＴＭ制御部２０Ａは、それぞれの処理に必要なデータを格納するデータベースとして、管轄するすべてのＡＴＭの管理情報を格納するＡＴＭ管理情報ＤＢ２７、ＡＴＭの各部分の画像を機種ごとに格納するＡＴＭ部分画像ＤＢ２８、実際に使用又は使用されようとしたスキミング装置の画像を蓄積し、格納するスキミング装置画像ＤＢ２９と接続されている。各ＤＢに格納される具体的なデータについては次の図で説明する。
【００４０】
ＡＴＭ要求受信部２１は、利用者の操作に基づいたＡＴＭからの取引開始要求を受信し、要求内容によって処理を必要な処理部に受け渡す役目を果たす。また、ＡＴＭ要求応答部２２は、その要求内容に対する処理結果を当該ＡＴＭに送信する役目を果たす。
【００４１】
確認画面生成部２３は、取引開始要求をＡＴＭから受信した際に、ＡＴＭ管理情報ＤＢ２７を参照して当該ＡＴＭを特定し、利用者に当該ＡＴＭに異常がないかの確認を求める確認画面を生成し、当該ＡＴＭに送信する。この確認画面には当該ＡＴＭの各機構部の正常時の外観画像（写真）をＡＴＭ部分画像ＤＢ２８から抽出し、抽出した部分画像を含ませる。確認画面は、利用者に対し正常時の部分画像に比べてＡＴＭの機構部に異常が見られないかの確認を求める判定ボタンが設けられている。機構部の外観画像としては、最も重要であるカード挿入口の他に、タッチパネル等の入力操作部、当該ＡＴＭ本体の周辺（ＡＴＭブース内）の画像を含んでいてもよい。また、いずれの画像も複数の角度から見た画像を含んでいることが望ましく、拡大縮小が容易であるＪＰＥＧやＧＩＦ、ＰＤＦ等の一般的なフォーマットのものを利用する。画像には短い動画を含んでいてもよい。
【００４２】
スキミング装置画像抽出部２４は、当該ＡＴＭに類似したＡＴＭに実際に使われた（未遂を含む）スキミング装置の画像（写真、イラスト）をスキミング装置画像ＤＢ２９から抽出する。スキミング装置画像（以下、異常画像と呼ぶこともある）は、ＡＴＭ部分画像の場合と同様に、複数の角度の画像を含んでいることが望ましく、更にＡＴＭに装着時の画像、取り外した状態の画像を含んでいてもよい。写真だけではわかりにくい場合には、特長をわかりやすく示したイラストや簡単な説明文を含んでいることが望ましい。また、当該ＡＴＭに装着可能性のあるスキミング装置を機種ＩＤと過去の例の情報から抽出して、そのスキミング装置の画像を優先的に確認画面に含ませるようにしてもよい。なお、ＡＴＭの部分画像及びスキミング装置の画像データの送信は、毎回ＡＴＭに送信せずともよく、通信負荷を軽減するために、一度送信した画像データは、ＡＴＭ１０の記憶部１４に保存しておき、以後は同じ画像を使用する限り、画像ＩＤのみを送信するようにしてもよい。
【００４３】
利用者判定結果処理部２５は、正常な状態で撮影されたＡＴＭの部分画像（以下、正常画像と呼ぶ）を含んだ確認画面の応答として、利用者が判定した「正常」又は「異常」の判定結果を受信して、その判定結果を日時情報と共にＡＴＭ管理情報ＤＢ２７に記録する。利用者判定結果の情報は、次の別の利用者の利用開始の際に読み出されて確認画面の生成の際に参照される。例えば、直前の利用者が「異常」と判定した場合は、通常よりも強いメッセージを含んだ確認画面を表示するようにもできる。また、連続して「異常」と判定されたＡＴＭについてはいったんＡＴＭ自体を取引中止とさせることもできる。もちろん、利用者の判定結果が常に正しいものとは限らないので、すべての判定結果の情報は履歴情報として所定期間蓄積され、特に誤判定の多いものについては、調査対象とし、確認画面の画像や表示方法を再検討するために利用されるものとする。
【００４４】
本システムのホストコンピュータ２０は、各金融機関等のコンピュータシステムを連携させるためのＡＴＭ運営センター３０にも接続することができる。ＡＴＭ運営センター通信部２６は、ＡＴＭ運営センター３０に対する各種通知情報の送信／受信を制御する。特に、過去に使用されたスキミング装置の画像は各システムで共有する必要があるため、ＡＴＭ運営センター３０経由で最新情報を受信し、スキミング装置画像ＤＢ２９を常に更新していくことが重要である。
【００４５】
上記の本システムの機能構成は、あくまで一例であり、一つの機能ブロック（データベース及び機能処理部）を更に分割したり、複数の機能ブロックをまとめて一つの機能ブロックとして構成したりしてもよい。各機能処理部は、装置に内蔵されたＣＰＵ（Central  Processing  Unit）が、ＲＯＭ（Read  Only  Memory）またはハードディスク等の記憶装置に格納されたコンピュータ・プログラムを読み出し、ＣＰＵにより実行されたコンピュータ・プログラムによって実現される。すなわち、各機能処理部は、このコンピュータ・プログラムが、記憶装置に格納されたデータベース（ＤＢ;Data  Base)やメモリ上の記憶領域からテーブル等の必要なデータを読み書きし、場合によっては、関連するハードウェア（例えば、入出力装置、表示装置、通信インターフェース装置）を制御することによって実現される。また、本発明の実施形態におけるデータベース（ＤＢ）は、商用データベースであってよいが、単なるテーブルやファイルの集合体をも意味し、データベースの内部構造自体は問わないものとする。
【００４６】
図３は、ＡＴＭ情報テーブル、ＡＴＭ部分画像テーブルの構成の具体例を示す図である。図ではＤＢに格納されるデータ内容をテーブル形式で模式的に表している。図３（ａ）には、ＡＴＭ管理情報ＤＢ２７に格納されるＡＴＭ情報テーブルを、図３（ｂ）には、ＡＴＭ部分画像ＤＢ２８に格納されるＡＴＭ部分画像テーブルを示している。
【００４７】
ＡＴＭ情報テーブルは、ＡＴＭ  ＩＤ（ＡＴＭ識別子）ごとに、機種の型番、異常値、店舗ＩＤ、利用者判定履歴を含んでいる。異常値は、ここでは簡単化のため、直前の利用者によって「異常」と判定された場合は「１」、「正常」と判定された場合は「０」で表している。店舗ＩＤは、当該ＡＴＭが設置される店舗（無人店舗を含む）のＩＤである。店舗ＩＤは、その店舗に設置された別途定められた店舗ごとの営業時間（例えば、銀行の支店であれば平日９：００〜１５：００）及びＡＴＭの利用可能時間（例えば、平日、８：００〜２３：００、土日祝日８：００〜２１：００等）を求めるために使用する。利用者判定結果は、利用者の判定結果を直前のものだけでなく、過去の一定期間の間、判定日時とその時の判定結果、およびその時に使用されたカード番号（カードを挿入後に異常に気付き異常通知を送信した場合）を保存したものである。もちろん、利用者判定履歴は、ＡＴＭの通常の利用履歴に含ませてもよい。
【００４８】
図３下段のＡＴＭ部分画像テーブルには、少なくともＡＴＭの機種の型番ごとに、カード挿入口等のＡＴＭの各部位ごとの画像を含む。画像には静止画だけでなく、動画を含んでもよい。画像は原則としてＡＴＭの前に立った利用者の目線からの画像とするが、一部、上部や左右の視点からの画像を含んでもよい。
【００４９】
また、店舗毎の画像情報とは、店舗によって周りの環境（店舗内の状況、光線の具合）によって、場合によっては同じ機種のＡＴＭであっても外観の見え方に差がある場合には、その店舗に設置された状態で撮影されたＡＴＭの部分画像を含んだ付加的な情報である。スキミング防止のためには、ＡＴＭ本体の周辺には、標準で定められたパンフレット入れや封筒入れ等以外の器具を設置したり、標準のラベル類以外を貼ったりすることはできる限り避けるべきであるが、やむをえない場合には、それらの器物を含んだ形でのＡＴＭの各部分画像も必要なかぎり別途用意しておいてもよい。
【００５０】
図４は、スキミング装置画像テーブルの構成の具体例を示す図である。前図と同様にＤＢに格納されるデータをテーブル形式で模式的に示す。
【００５１】
テーブル最上行の「分類タイプ」とは、実際に報告されたスキミング装置のタイプを示すものである。スキミング装置には、カード挿入口を偽造するものでは、挿入口にカバーを被せるタイプのものと挿入口に内蔵するタイプのものがある。また、挿入口にカバーするタイプにも、挿入口を部分的に覆うものと挿入口周囲のパネル全体を覆うものもある。また、カード挿入口以外でも入力操作部であるタッチパネルを覆うタイプのもの、ＡＴＭに装着するものでなく、ＡＴＭブース内で隠しカメラを設置するタイプのものもある。
【００５２】
テーブル最上行の「対応ＡＴＭ機種」とは、これらのスキミング装置が装着可能なＡＴＭの機種（型番）を格納する列を示したものである。実際にＡＴＭに装着された状態での写真等が異常画像としてこのテーブルに格納される。すでに述べたように、異常画像には、装着時の写真だけでなく、ＡＴＭから取り外した状態での写真を含んでもよい。写真だけでなく、動画やイラスト（説明文付）を含んでもよい。新たなタイプのスキミング装置が報告された場合は、このテーブルにその情報が直ちに追加されるのはもちろんである。
【００５３】
図５は、スキミング装置の装着例を示す図である。図５（ａ）では、カード挿入部のカード挿入口を疑似カバーで覆うタイプのスキミング装置を示している。また、図５（ｂ）では、同じくカード挿入部を疑似カバーで覆うタイプのスキミング装置であるが、挿入口だけでなくカード挿入部全体を疑似カバーで覆うタイプを示したものである。図示していないが、ＡＴＭのパネル全体を疑似カバーで覆ったケースも存在する。また、図５（ｃ）は、正規のカード挿入口カバーを取り外し、挿入口にスキミング装置を内蔵させるタイプを示している。このようなスキミング装置の画像がスキミング装置画像ＤＢ２９に格納される。
【００５４】
図６は、ＡＴＭ制御フローの一例を示す図である。この制御フローは、主にホストコンピュータ２０のＡＴＭ制御部２０Ａによって実行される。ＡＴＭ制御部２０Ａは、まずステップＳ１０において、ＡＴＭ１０から取引開始要求を受信するまで待機している。ＡＴＭ１０からの取引開始要求は、利用者がＡＴＭ１０の入力操作部１２の「取引開始ボタン」を押し、現金の引き出しや預け入れ、振り込み等の希望の操作ボタンを押すことによってスタートする。この時点では、まだカードは挿入されていない段階である。
【００５５】
ＡＴＭ１０から取引開始要求があると、ＡＴＭ制御部２０Ａは、ステップＳ１１に移り、ＡＴＭ管理情報ＤＢ２７を読み出し、要求元のＡＴＭ１０が有人の店舗内に設置されたＡＴＭかどうかをチェックする。有人店舗内ＡＴＭの場合は、ステップＳ１２に移り、更にその店舗開店時間内かどうかをチェックする。
【００５６】
金融機関の無人店舗のＡＴＭの場合、コンビニエンスストア、駅や空港等の金融機関の店舗以外のＡＴＭの場合、又は金融機関の有人店舗内のＡＴＭであっても閉店後無人となった時間帯でのＡＴＭの場合には、ステップＳ１３に移り、ＡＴＭ１０の該当する一以上の画像（正常画像）をＡＴＭ部分画像ＤＢ２８から抽出する。そして、抽出した正常画像を予め状況に応じて定めた確認画面に含ませて、ＡＴＭ１０に送信し、ＡＴＭ１０からの利用者の判定結果を待つ（ステップＳ１４）。ＡＴＭ１０では、受信した確認画面を表示し、利用者の判定を求める。ＡＴＭ１０では、利用者が処理を取り消さない限り、判定を入力しないと次のステップに進めないようにする。なお、ステップＳ１４では、正常画像のデータを毎回ＡＴＭに送信する代わりにＡＴＭ１０の記憶部１４に保存しておき、ＡＴＭ１０の外観に変更がない限り、記憶部１４に保存した画像を使用するようにしてもよい。スキミング装置画像の送信する場合についても同様である。
【００５７】
ステップＳ１５において、ＡＴＭ１０から利用者の判定結果を受信し、それが「異常判定」である場合には、ステップＳ１８に進み、「正常判定」の場合は、ステップＳ１６に進む。正常判定の場合は、ステップＳ１６において、判定結果をＡＴＭ情報テーブルの利用者判定履歴に記録した後、ＡＴＭ情報テーブルの異常値をゼロにリセットする。そしてＡＴＭ１０に取引を続行させる（ステップＳ１７）。
【００５８】
利用者の判定結果が異常判定の場合は、ステップＳ１８において、利用者異常判定履歴を参照して、異常判定が所定の回数以上連続してなされたかどうかをチェックする。異常判定が連続して所定回数以上に達した場合は、ステップＳ１９に移り、このＡＴＭ１０を利用不可とすることを決定し、ＡＴＭ運営センター３０にも通知する。連続した異常判定が所定回数にまだ達していない場合には、ステップＳ２０に移り、依頼された取引は中止するが、ＡＴＭ１０自体は利用不可とはしないものとする。
【００５９】
このようにして利用者が確認画面のＡＴＭの部分画像を見て判定した結果に基づいて、ホストコンピュータ側で取引を続行させたり、取引を中止させたりし、場合によってはＡＴＭ１０を利用不可とする決定を行うことができる。利用者からの異常判定があってもその取引は中止しても直ちにＡＴＭ１０を利用不可としないのは、利用者の誤判定、操作ミス、いたずら等の可能性があるためである。もちろん、一度でも異常判定が出たＡＴＭは係員がチェックに向かうようにすることが望ましい。
【００６０】
図７は、ＡＴＭ制御フローの別の一例を示す図である。この制御フローにおいては、ステップＳ１０〜Ｓ１３，Ｓ１４〜Ｓ１７、Ｓ２０の処理は、図６の場合とまったく同じである。異なるのは、図７で網掛けで示す部分、すなわちステップＳ１３Ａ、Ｓ１４Ａ，Ｓ１８Ａ，Ｓ１９Ａの処理である。以下、異なる部分のみを説明する。
【００６１】
ステップＳ１３でＡＴＭ１０の画像を抽出した後、ステップＳ１３Ａにおいては、直前の利用者によって異常判定があったかどうかをチェックする。直前の異常判定があればステップＳ１４Ａに移り、正常画像にスキミング装置の画像例を含ませる等をし、更により強い注意喚起のメッセージを含んだ確認画面をＡＴＭ１０に送信する。
【００６２】
また、ステップＳ１５で異常判定を受信した後、ステップＳ１８Ａが追加され、利用者がカードを読み込ませ後に異常に気付いたかどうかをチェックする。利用者は、いったんは正常と判定して操作を続行したが、カードを挿入後よく見ると、先に表示された正常画像との違いにあらためて気付いたり、挿入時の動きや音等から異常に気が付いたような場合を想定している。そのため、異常に気が付いた場合は確認画面からだけでなく、いつでも異常通知を送信できる手段を有する。確認画面を再度呼び出すボタンを設置してもよい。
【００６３】
ただし、この時点ではカードを読み込ませてしまっているのでスキミング装置にカード情報を既に読み取られてしまっている可能性がある。このような場合に備え、ステップＳ１９Ａでは、該当カード番号を記憶し、後にそのカード番号を持つカード（偽造カードである可能性大）が使用された場合には（他の金融機関の場合はＡＴＭ運営センターから通知を受け取り）、警察等に通報するように設定することができる。このようにすることで、スキミング犯人早期逮捕の有力な手段を提供できる。なお、ステップＳ１９Ａの後は、カード挿入前に異常に気付いた場合と同様にステップＳ２０に移り、正規の利用者の今回の取引自体は中止される。また、そのカードを使用不可とするか否かを利用者が選択できるようにしてもよい。
【００６４】
以上、図６と図７を用いて本システムにおけるＡＴＭ制御フローの２つの具体例を説明したが、これらのＡＴＭ制御フローは、必ずしもどちらかを択一的に選択する必要はなく、両者を適宜組み合わせて使用することができる。
【００６５】
図８、図９は、確認画面の表示例を示す図である。確認画面は、既に説明したように、ＡＴＭ制御部２０Ａが表示内容を決定し、ＡＴＭ１０に送信し、利用者にカード挿入口が正常であるかどうかを判定してもらうために表示されるＡＴＭ１０の画面である。ＡＴＭによって画面の大きさや色合い等の機種依存性があるが、その部分についてはＡＴＭ側で調整される。
【００６６】
図８上段に示す確認画面２００は、ＡＴＭのカード挿入口の正常画像だけを表示する例である。ＡＴＭの画面が比較的小さい場合には、いろいろな情報を同時に表示するのではなく、高齢者等でも見やすいようなシンプルな画面表示にしている。細部を確認したい場合は、ボタン群２０１で示すように、拡大／縮小機能やスクロール機能を備えていることが望ましい。ＡＴＭのタッチパネルがスワイプ機能やピッチ機能をサポートしていると更に望ましい。そして、この画面の画像を見た利用者がなんらかの異常を感じれば「異常」ボタンを、そうでなければ「正常」ボタンを押してもらってからはじめて実際の取引画面に移るようにする。
【００６７】
図８下段の確認画面２１０は、カード挿入口の正常画像とスキミング装置が装着されたカード挿入口の画像を異常画像として並べて表示した例である。異常画像左右の矢印キー２１１を押すと、別の例の異常画像が表示される。また、ボタン列２１２で示すように、正面からだけでなく、斜め方向からや上部から等、角度を変えた方向からの画像も表示できるようにしてもよい。図８上段の場合と同様に拡大／縮小機能やスクロール機能も備えることはもちろんである。
【００６８】
図９の確認画面２２０以降は、ＡＴＭを直前の利用者が「異常」と判断した場合に、次の利用者に対して表示される画面の一例である。この場合は、より強い注意喚起を伴った確認画面となっている。すなわち、カード挿入口以外にも上部やパンフレット入れ等のＡＴＭ周りにも隠しカメラが仕掛けられていないかどうか、また、ＡＴＭのタッチパネルに読取シートが設置されていないか等も確認してもらうようにする。
【００６９】
この図の例では、画面２３０でカード挿入口の画像を表示し、更に「次へ」ボタン２３１を押すと、ＡＴＭブース内の注意喚起の画面２４０やタッチパネル周りの注意喚起の画面２５０が表示されるようになっている。もちろん、直前に異常と判断された場合だけでなく、その他、注意喚起の画面や確認画面は適宜表示されるようにしてもよく、また、ＡＴＭの画面以外に店舗内の画面装置にも同様な注意喚起画面を表示するようにしてもよい。また、本システムを使うことで誰がいつ確認したか記録として残せるため、ＡＴＭの利用者に限らず、ＡＴＭ稼動前に銀行員や警備員等にこの機能を使って異常があるかどうかチェックさせるようにしてもよい。
【００７０】
このように、スキミング装置は様々な手口で仕掛けられており、今後も新たな手口が用いられる可能性が高い。しかし、本発明のシステムによれば、金融機関のホストコンピュータ等に備えたスキミング装置画像ＤＢ２９に新たな手口のスキミング装置の画像を追加し、確認画面を追加する等のソフトウェアの変更だけで新たな手口に対しても発見後は直ちに対応できるので、被害の拡大を迅速に避けることができる。
【００７１】
以上、実施形態を用いて本発明を説明したが、本発明の技術的範囲は上記実施形態に記載の範囲には限定されないことは言うまでもない。上記実施形態に、多様な変更または改良を加えることが可能であることが当業者に明らかである。またその様な変更または改良を加えた形態も本発明の技術的範囲に含まれ得ることが、特許請求の範囲の記載から明らかである。
【符号の説明】
【００７２】
１０  ＡＴＭ（現金自動預け払い装置、自動取引装置）
１１  表示画面
１２  入力操作部
１３  音声出力部
１４  記憶部
１５  制御部（ＡＴＭ内部）
１６  機構部
１６ａ  カード読取部
１６ｂ  明細票印字部
１６ｃ  紙幣処理部
１６ｄ  通帳印字部
１６ｅ  硬貨処理部
１６ｆ  生体認証部
２０  ホストコンピュータ
２０Ａ  ＡＴＭ制御部（ホストコンピュータ側）
２１  ＡＴＭ要求受信部
２２  ＡＴＭ要求応答部
２３  確認画面生成部
２４  スキミング装置画像抽出部
２５  利用者判定結果処理部
２６  ＡＴＭ運営センター通信部
２７  ＡＴＭ管理情報ＤＢ
２８  ＡＴＭ部分画像ＤＢ
２９  スキミング装置画像ＤＢ
３０  ＡＴＭ運営センター
１００  スキミング防止システム（実施形態）
２００，２１０，２２０，２３０，２４０，２５０  確認画面
【要約】
【課題】ＡＴＭに装着されたスキミング装置を早期に発見する。
【解決手段】金融機関のコンピュータシステムに、その金融機関が管理するすべてのＡＴＭの管理情報を格納するＡＴＭ管理情報ＤＢと、ＡＴＭの機種毎にカード挿入口の画像を含むＡＴＭの部分画像を格納するＡＴＭ部分画像ＤＢとを備える。そして、金融機関のホストコンピュータ側のＡＴＭ制御部が、利用者の取引開始要求をＡＴＭから受信した際に、ＡＴＭ管理情報ＤＢを参照して当該ＡＴＭを特定し、利用者に対して当該ＡＴＭに異常がないかの確認を求める確認画面を生成してＡＴＭに送信する。この確認画面にはＡＴＭ部分画像ＤＢから当該ＡＴＭの正常時の各機構部の部分画像が含まれる。また、実際に使われたスキミング装置の画像を格納したＤＢを用意し、確認画面に含ませる。確認画面に対する利用者が行った判定結果に応じて、当該取引の続行／中止、場合によっては当該ＡＴＭを利用不可とする。
【選択図】図１【図２】
0005566505.tif 000002
【図３】
0005566505.tif 000003
【図４】
0005566505.tif 000004
【図６】
0005566505.tif 000005
【図７】
0005566505.tif 000006
【図１】
0005566505.tif 000007
【図５】
0005566505.tif 000008
【図８】
0005566505.tif 000009
【図９】
0005566505.tif 000010